(57)【要約】【課題】ワイヤハーネスの幹線から分岐する枝線の端末に接続するジョイントコネクタ等のジョイント部材を前記幹線上に容易に固定できる。【解決手段】ワイヤハーネスの幹線１０から分岐する枝線１１の端末に接続するジョイントコネクタまたはスプライスパーツからなるジョイント部材１２のハウジング１３のハーネス搭載面側にバンド通し枠１４を突設し、幹線１０に巻き付けるバンドクランプ１７のバンド２１をジョイント部材１２のバンド通し枠１４に挿通し、バンド２１をバンドクランプ１７に設けたバンド係止部１８に締結固定して、ジョイント部材１２を幹線１０上にバンドクランプ１７で固定できるものとしている。【選択図】図１
2013153568.tif 000002
【特許請求の範囲】
【請求項１】
ワイヤハーネスの幹線から分岐する枝線の端末に接続するジョイントコネクタまたはスプライスパーツからなるジョイント部材のハウジングのハーネス搭載面側にバンド通し枠を突設し、前記幹線に巻き付けるバンドクランプのバンドを前記ジョイント部材のバンド通し枠に挿通し、該バンドをバンドクランプに設けたバンド係止部に締結固定して、前記ジョイント部材を幹線上にバンドクランプで固定できるものとしているジョイント部材のワイヤハーネス固定構造。
【請求項２】
前記ジョイント部材のバンド通し枠のハーネス搭載面側から位置決め棒を突設し、該位置決め棒を前記幹線に突き刺し、前記ジョイント部材が前記バンドクランプのクランプ突出側と反対側に位置決め可としている請求項１に記載のジョイント部材のワイヤハーネス固定構造。
【請求項３】
前記ジョイント部材のバンド通し枠の内部に挿通するバンドクランプのバンドの係止溝と係止する係止片をジョイント部材の底面または該底面と対向するバンド通し枠から突設している請求項１または請求項２に記載のジョイント部材のワイヤハーネス固定構造。
【発明の詳細な説明】
【技術分野】
【０００１】
本発明はジョイント部材のワイヤハーネス固定構造に関し、詳しくは、ワイヤハーネスの枝線端末に接続するジョイントコネクタ等のジョイント部材を幹線上に容易に固定できるものである。
【背景技術】
【０００２】
従来、自動車に配索されるワイヤハーネスではジョイント回路を設けるために、図４に示すように、ワイヤハーネスの幹線１から分岐させた枝線２の端末にジョイントコネクタ３を接続し、該ジョイントコネクタ３を幹線１の外周面にテープ（Ｔ）を巻き付けて固定している［特開２００３−２９７４５１号公報（特許文献１）参照］。
【０００３】
一方、前記ジョイントコネクタ３をテープ巻き固定するワイヤハーネスの幹線１には、所定間隔をあけて車体係止用のクランプ４が取り付けられるが、比較的短い間隔で設置される前記クランプ４間でジョイントコネクタ３を車体等と干渉することなく固定できる位置は限られておりジョイントコネクタ３の幹線１上への効率的な配置が難しい場合がある。また、クランプ４の車体係止時にジョイントコネクタ３が車体等と干渉しないようにするために、作業者は幹線１に固定するジョイントコネクタ３の突出方向がクランプ４の車体係止部の突出方向と同一方向にならないよう留意しながらジョイントコネクタのテープ巻き作業を行う必要があり、作業性があまりよくないという問題がある。
【先行技術文献】
【特許文献】
【０００４】
【特許文献１】特開２００３−２９７４５１号公報
【発明の概要】
【発明が解決しようとする課題】
【０００５】
本発明は前記問題に鑑みてなされたもので、ワイヤハーネスの幹線から分岐する枝線の端末に接続するジョイントコネクタ等のジョイント部材を前記幹線上に容易に固定できることを課題としている。
【課題を解決するための手段】
【０００６】
本発明は前記課題を解決するため、ワイヤハーネスの幹線から分岐する枝線の端末に接続するジョイントコネクタまたはスプライスパーツからなるジョイント部材のハウジングのハーネス搭載面側にバンド通し枠を突設し、前記幹線に巻き付けるバンドクランプのバンドを前記ジョイント部材のバンド通し枠に挿通し、該バンドをバンドクランプに設けたバンド係止部に締結固定して、前記ジョイント部材を幹線上にバンドクランプで固定できるものとしているジョイント部材のワイヤハーネス固定構造を提供している。
【０００７】
前記のように、本発明ではワイヤハーネスの幹線から分岐する枝線の端末に接続するジョイント部材のハウジングにバンド通し枠を突設し、前記幹線に巻き付けて締結固定するバンドクランプのバンドを前記バンド通し枠に挿通して、前記ジョイント部材をバンドクランプで幹線上に固定する構成としている。よって、ジョイント部材を幹線にテープ巻き固定する必要がなくなりテープの使用量を削減できると共に、バンドクランプの幹線への取り付けとジョイント部材の幹線への固定を簡単な作業で同時に完了させることができるため、作業性を大幅に向上させることができる。
【０００８】
また、バンドクランプのバンド上に前記ジョイント部材を配置することで、バンドクランプの車体係止用のクランプの突出方向とジョイント部材の突出方向が同じになることはない。よって、クランプの車体係止時にジョイント部材が車体等に干渉するのを防止することができる。さらに、バンドクランプは比較的短い間隔で多数取り付けられるため、ジョイント部材を固定できる箇所が増え、よって、ジョイント部材を最適箇所に効率的に配置することができる。
【０００９】
本発明で用いるバンドクランプは、バンド係止部から突出させたバンドを備えると共に、バンド係止部から車体係止用のクランプを突出させた一般的なバンドクランプを用いることができる。前記バンドクランプのバンドの一面側にはバンド長さ方向に所定間隔をあけて係止溝を連続的に設けていると共に、前記バンド係止部には前記バンドを貫通させるバンド貫通穴を設け、該バンド貫通穴に挿通するバンドの前記係止溝に係止する係止片をバンド貫通穴の内面から突設している。
【００１０】
また、前記ジョイント部材のバンド通し枠のハーネス搭載面側から位置決め棒を突設し、該位置決め棒を前記幹線に突き刺し、前記ジョイント部材が前記バンドクランプのクランプ突出側と反対側に位置決め可としていることが好ましい。
【００１１】
前記のように、バンド通し枠のハーネス搭載面に突設した位置決め棒を幹線に突き刺して、ジョイント部材をバンドクランプのクランプ突出側と反対側に位置決めすることにより、車体振動等によってもジョイント部材がバンドに沿って幹線上を位置ズレすることなく、車体等との干渉からジョイント部材を確実に保護することができる。
【００１２】
また、前記ジョイント部材のバンド通し枠の内部に挿通するバンドクランプのバンドの係止溝と係止する係止片をジョイント部材の底面または該底面と対向するバンド通し枠から突設していることも好ましい。
【００１３】
前記のように、ジョイント部材の底面または対向するバンド通し枠から突設した係止片を、バンド通し枠の内部に挿通するバンドクランプのバンドの係止溝に係止させることにより、ジョイント部材をバンドの所定位置にしっかりと固定することができる。よって、車体振動等によってもジョイント部材がバンドに沿って幹線上を位置ズレすることがなく、ジョイント部材を幹線上の所定位置に安定保持することができる。
【発明の効果】
【００１４】
前述したように本発明によれば、ワイヤハーネスの幹線から分岐する枝線の端末に接続するジョイント部材のハウジングにバンド通し枠を突設し、前記幹線に巻き付けて締結固定するバンドクランプのバンドを前記バンド通し枠に挿通して、ジョイント部材をバンドクランプで幹線上に固定している。よって、ジョイント部材を幹線にテープ巻き固定する必要がなくなりテープの使用量を削減できると共に、バンドクランプの幹線への取り付けとジョイント部材の幹線への固定を簡単な作業で同時に完了させることができるため、作業性を向上させることができる。
【００１５】
また、バンドクランプのバンド上に前記ジョイント部材を配置することで、バンドクランプのクランプ突出方向とジョイント部材の突出方向はおのずと異なるため、クランプの車体係止時にジョイント部材が車体等に干渉するのを防ぐことができる。さらに、バンドクランプは比較的短い間隔で多数取り付けられるため、ジョイント部材を固定できる箇所も増加する。よって、ジョイント部材を最適箇所に効率的に配置することが可能となる。
【図面の簡単な説明】
【００１６】
【図１】本発明の実施形態であるジョイントコネクタのワイヤハーネス固定構造を示し、（Ａ）は斜視図、（Ｂ）はＡ−Ａ線断面図である。
【図２】枝線の端末に接続したジョイントコネクタを示し、（Ａ）はバンド挿通方向から見た図、（Ｂ）はＢ−Ｂ線断面図である。
【図３】バンドクランプを示す斜視図である。
【図４】従来例を示す図である。
【発明を実施するための形態】
【００１７】
以下、本発明の実施形態を図面を参照して説明する。
図１乃至図３は本発明の実施形態を示す。図１（Ａ）に示すように、自動車に配索するワイヤハーネスの幹線１０から枝線１１を分岐させ、該枝線１１の端末にジョイント部材であるジョイントコネクタ１２を接続している。本実施形態では、幹線１０に巻き付けて車体（図示せず）に係止するバンドクランプ１７を用いて前記ジョイントコネクタ１２を幹線１０上に固定している。
【００１８】
樹脂成形品からなるジョイントコネクタ１２のハウジング１３には、図１（Ｂ）および図２（Ａ）、（Ｂ）に示すように、ハーネス搭載面側であるハウジング１３底面よりボックス状のバンド通し枠１４を突設している。バンド通し枠１４の内部には、挿通するバンドクランプ１７のバンド２１の係止溝２２と係止する係止片１５を突出させており、本実施形態では前記係止片１５をジョイントコネクタ１２のハウジング１３の底面より突設している。また、ハーネス搭載面側であるバンド通し枠１４の底面より位置決め棒１６を突設している。位置決め棒１６を幹線１０の電線ｗ間に突き刺すことにより、ジョイントコネクタ１２を幹線１０上の所定位置に位置決めできるようにしている。
【００１９】
一方、本実施形態に用いるバンドクランプ１７としては図３に示すような一般的なバンドクランプを用いることができる。樹脂成形品のバンドクランプ１７はボックス状のバンド係止部１８とバンド２１と車体係止用のクランプ２３とからなる。バンド係止部１８にはバンド２１を貫通するバンド貫通穴１９を設け、バンド貫通穴１９の一側開口１９ａの近傍よりバンド２１を突出させ、対向する他側開口１９ｂをバンド２１を挿入する入口とすると共に、前記一側開口１９ａをバンド２１を引き出す出口としている。バンド２１の一面（本実施形態ではバンド２１の外面）にはバンド長さ方向に所定間隔をあけて係止溝２２を連続的に設け、バンド貫通穴１９の内面（本実施形態ではバンド貫通穴１９のクランプ２３側内面）には前記バンド２１の係止溝２２に係止する係止片２０を突設している。
【００２０】
また、クランプ２３はバンド係止部１８の底面より突出する楕円形状の皿部２４と、該皿部２４の底面中央より突出する支軸部２５と、該支軸部２５の先端から折り返し状に突出する一対の係止羽根部２６とからなる。各係止羽根部２６の先端には車体（図示せず）の係止穴の周縁に係止する係止段部２７を設けている。
【００２１】
バンドクランプ１７のバンド２１を幹線１０の外周面に巻き付けると共にジョイントコネクタ１２のバンド通し枠１４に挿通し、ジョイントコネクタ１２がバンドクランプ１７のクランプ２３突出側と反対側に位置するように位置決め棒１６を幹線１０の電線ｗ間に突き刺してジョイントコネクタ１２を位置決めした後、バンド２１をバンド係止部１８のバンド貫通穴１９に貫通して締め付ける。該締め付けにより、バンド２１の係止溝２２にバンド貫通穴１９の係止片２０が係止してバンド２１がバンド係止部１８に固定されると共に、ジョイントコネクタ１２のバンド通し枠１４内の係止片１５がバンド２１の係止溝２２に係止してジョイントコネクタ１２がバンド２１に固定される。よって、ジョイントコネクタ１２がバンドクランプ１７を介して幹線１０上のクランプ２３突出側と反対側の位置にしっかりと固定される。
【００２２】
前記のように、本実施形態ではワイヤハーネスの幹線１０から分岐する枝線１１の端末に接続するジョイントコネクタ１２のハウジング１３にバンド通し枠１４を突設し、幹線１０に巻き付けて締結固定するバンドクランプ１７のバンド２１をバンド通し枠１４に挿通して、ジョイントコネクタ１２をバンドクランプ１７で幹線１０上に固定している。よって、ジョイントコネクタ１２を幹線１０にテープ巻き固定する必要がなくなりテープの使用量を削減できると共に、バンドクランプ１７の幹線１０への取り付けとジョイントコネクタ１２の幹線１０への固定を簡単な作業で同時に完了させることができるため、作業性を向上させることができる。
また、バンドクランプ１７は幹線１０に約２００ｍｍ程度の短い間隔で多数取り付けられるため、ジョイントコネクタ１２を固定できる箇所が増加する。よって、ジョイントコネクタ１２を最適箇所に効率的に配置することができる。
【００２３】
また、前記のように、バンド通し枠１４の底面に突設した位置決め棒１６を幹線１０の電線ｗに突き刺して、ジョイントコネクタ１２をバンドクランプ１７のクランプ２３突出側と反対側に位置決めしているため、車体振動等によってもジョイントコネクタ１２がバンド２１に沿って幹線１０上を位置ズレすることなく、車体等との干渉からジョイントコネクタ１２を確実に保護することができる。
さらに、ジョイントコネクタ１２の底面から突設した係止片１５を、バンド通し枠１４の内部に挿通するバンドクランプ１７のバンド２１の係止溝２２に係止させているため、
ジョイントコネクタ１２の幹線１０上での位置決め固定をより確実に行うことができる。
【００２４】
なお、本実施形態ではジョイントコネクタ１２のバンド通し枠１４の内部に係止片１５を突設すると共に、バンド通し枠１４の底面より位置決め棒１６を突設しているが、係止片１５、位置決め棒１６のいずれか一方を設けるだけでもよい。
また、本実施形態ではジョイントコネクタ１２をジョイント部材として幹線１０に固定しているが、枝線１１の電線端末を皮剥ぎして露出した芯線を溶着あるいは端子圧着して接続したスプライス接続部を樹脂製のハウジングに収容したスプライスパーツをジョイント部材としてもよい。
【符号の説明】
【００２５】
１０  幹線
１１  枝線
１２  ジョイントコネクタ
１３  ハウジング
１４  バンド通し枠
１５  係止片
１６  位置決め棒
１７  バンドクランプ
１８  バンド係止部
１９  バンド貫通穴
２０  係止片
２１  バンド
２２  係止溝
２３  クランプ
２４  皿部
２５  支軸部
２６  係止羽根部
２７  係止段部
【図１】
2013153568.tif 000003
【図２】
2013153568.tif 000004
【図３】
2013153568.tif 000005
【図４】
2013153568.tif 000006